(57)【特許請求の範囲】
【請求項１】
２本の水平方向に張られた水糸の交点と水平方向に位置合せされた水平位置を定める位置合せ装置において、
２個の錘下げ振りを有し、各錘下げ振りは長細状錘の両端に水糸に引っ掛けられる紐が取付けられてなることを特徴とする位置合せ装置。
【請求項２】
前記２個の錘下げ振りのうちの一方の錘下げ振りは２本の水糸のうちの一方の水糸に引っ掛けられ、他方の錘下げ振りは他方の水糸に引っ掛けられる請求項１に記載の位置合せ装置。
【請求項３】
２本の水平方向に張られた水糸の交点と水平方向に位置合せされた水平位置を定める錘下げ振りにおいて、
長細状錘の両端に水糸に引っ掛けられる紐が取付けられてなり、
前記長細状錘が、板状体の長手方向中央に凹部を有してなることを特徴とする錘下げ振り。
【請求項４】
２本の水平方向に張られた水糸の交点と水平方向に位置合せされた水平位置を定める錘下げ振りにおいて、
長細状錘の両端に水糸に引っ掛けられる紐が取付けられてなり、
前記長細状錘の両端に、追加錘を備えてなることを特徴とする錘下げ振り。
【請求項５】
２本の水平方向に張られた水糸の交点と水平方向に位置合せされた水平位置を定める位置合せ方法において、
長細状錘の両端に水糸に引っ掛けられる紐が取付けられてなる２個の錘下げ振りを用い、
上記水糸の交点を形成している２本の水糸のうちの一方の水糸に対し、該交点の近傍で該交点を挟む２位置に、２個の錘下げ振りのうちの一方の錘下げ振りにおける長細状錘の両端に設けた紐を引っ掛け、上記水糸の交点を形成している２本の水糸のうちの他方の水糸に対し、該交点の近傍で該交点を挟む２位置に、２個の錘下げ振りのうちの他方の錘下げ振りにおける長細状錘の両端に設けた紐を引っ掛け、
２本の水糸の交点と２個の錘下げ振りの交点との合致線上に水平位置を定める位置合せ方法。
【請求項６】
前記紐が、水糸に引っ掛けるためのフックを備えてなることを特徴とする請求項５に記載の位置合せ方法。
【請求項７】
前記長細状錘が、針状体であることを特徴とする請求項５又は６に記載の位置合せ方法。
【請求項８】
前記長細状錘が、板状体であることを特徴とする請求項５又は６に記載の位置合せ方法。
【請求項９】
前記長細状錘が、板状体の長手方向中央に凹部を有してなることを特徴とする請求項８に記載の位置合せ方法。
【請求項１０】
前記長細状錘の両端に、追加錘を備えてなることを特徴とする請求項５〜９のいずれかに記載の位置合せ方法。
【発明の詳細な説明】
【技術分野】
【０００１】
本発明は錘下げ振り及び位置合せ方法に関する。
【背景技術】
【０００２】
従来、例えば特許文献１に記載の如く、２本の水平方向に張られた水糸の交点と、その交点の下方で水平方向に位置合せされた水平位置を定め、当該水平位置に目的物を位置決めして設置するための位置合せ方法がある。
【０００３】
特許文献１に記載の位置合せ方法は、例えばベースモルタルの近くに突き立てられる縦長棒体にレーザー照射部を設け、照射部が照射するレーザー光線の垂直光を２本の水糸の交点を経由させてベースモルタル上に到達させ、レーザー光線が指し示すベースモルタル上に印を付ける。
【０００４】
尚、レーザー照射部等を用いない簡易な位置合せ方法として、従来方法１〜３（図７〜図９）がある。
【０００５】
従来方法１（図７）は、単純に２本の水糸１、２の交点Ａの鉛直上と思われる視点Ｍから該交点Ａの下方を見下ろし、この視線Ｌが到達した位置に目的物Ｔを設置する。
【０００６】
従来方法２（図８）は、２本の水糸１、２の交点Ａに錘下げ振り３の吊り糸３Ａを当て、錘下げ振り３の直下の位置に目的物Ｔを設置する。
【０００７】
従来方法３（図９）（特許文献２）は、２本の水糸１、２の交点Ａに錘下げ振り３の吊り糸３Ａのフック３Ｂを引っ掛け、錘下げ振り３の直下の位置に目的物Ｔを設置する。
【先行技術文献】
【特許文献】
【０００８】
【特許文献１】特開平11-336330
【特許文献２】特開2005-201643
【発明の概要】
【発明が解決しようとする課題】
【０００９】
特許文献１に記載の位置合せ方法は、レーザー照射部を必要とするし、照射部が照射するレーザー光線を正しく鉛直線上に沿う垂直光に設定することに困難がある。
【００１０】
従来方法１の単純目視では、視点Ｍを２本の水糸１、２の交点Ａの正しく鉛直上に設定できず、視線Ｌが図７の破線の如くに傾斜し、水平位置の正確な位置合せができない。
【００１１】
従来方法２では、２本の水糸１、２の交点Ａを動かさないように、錘下げ振り３の吊り糸３Ａをその交点Ａに当てることに神経を使う。一方の片手で錘下げ振り３を持ち、他方の片手で目的物Ｔの位置決め作業を行なうので更に難しい作業になり、位置決め及び確認に時間がかかる。
【００１２】
従来方法３では、錘下げ振り３のフック３Ｂが重力により、図９に示す如く、２本の水糸１、２の中央に行きたがり、その交点Ａが本来の位置からずれてしまう。
【００１３】
本発明の課題は、簡易な構成により、２本の水平方向に張られた水糸の交点と、その交点の下方で水平方向に位置合せされた水平位置を正確に定めることにある。
【課題を解決するための手段】
【００１４】
請求項１に係る発明は、２本の水平方向に張られた水糸の交点と水平方向に位置合せされた水平位置を定める位置合せ装置において、２個の錘下げ振りを有し、各錘下げ振りは長細状錘の両端に水糸に引っ掛けられる紐が取付けられてなるようにしたものである。
【００１５】
請求項２に係る発明は、請求項１に係る発明において更に、前記２個の錘下げ振りのうちの一方の錘下げ振りは２本の水糸のうちの一方の水糸に引っ掛けられ、他方の錘下げ振りは他方の水糸に引っ掛けられるようにしたものである。
【００１６】
請求項３に係る発明は、２本の水平方向に張られた水糸の交点と水平方向に位置合せされた水平位置を定める錘下げ振りにおいて、長細状錘の両端に水糸に引っ掛けられる紐が取付けられてなり、前記長細状錘が、板状体の長手方向中央に凹部を有してなるようにしたものである。
【００１７】
請求項４に係る発明は、２本の水平方向に張られた水糸の交点と水平方向に位置合せされた水平位置を定める錘下げ振りにおいて、長細状錘の両端に水糸に引っ掛けられる紐が取付けられてなり、前記長細状錘の両端に、追加錘を備えてなるようにしたものである。
【００１８】
請求項５に係る発明は、２本の水平方向に張られた水糸の交点と水平方向に位置合せされた水平位置を定める位置合せ方法において、長細状錘の両端に水糸に引っ掛けられる紐が取付けられてなる２個の錘下げ振りを用い、上記水糸の交点を形成している２本の水糸のうちの一方の水糸に対し、該交点の近傍で該交点を挟む２位置に、２個の錘下げ振りのうちの一方の錘下げ振りにおける長細状錘の両端に設けた紐を引っ掛け、上記水糸の交点を形成している２本の水糸のうちの他方の水糸に対し、該交点の近傍で該交点を挟む２位置に、２個の錘下げ振りのうちの他方の錘下げ振りにおける長細状錘の両端に設けた紐を引っ掛け、２本の水糸の交点と２個の錘下げ振りの交点との合致線上に水平位置を定めるようにしたものである。
【００１９】
請求項６に係る発明は、請求項５に係る発明において更に、前記紐が、水糸に引っ掛けるためのフックを備えてなるようにしたものである。
【００２０】
請求項７に係る発明は、請求項５又は６に係る発明において更に、前記長細状錘が、針状体であるようにしたものである。
【００２１】
請求項８に係る発明は、請求項５又は６に係る発明において更に、前記長細状錘が、板状体であるようにしたものである。
【００２２】
請求項９に係る発明は、請求項８に係る発明において更に、前記長細状錘が、板状体の長手方向中央に凹部を有してなるようにしたものである。
【００２３】
請求項１０に係る発明は、請求項５〜９のいずれかに係る発明において更に、前記長細状錘の両端に、追加錘を備えてなるようにしたものである。
【発明の効果】
【００２８】
（請求項１、２、５）
(a)２本の水糸の交点Ａと、２個の錘下げ振りの交点Ｂとが、合致して見える位置に視点Ｍをもってくることにより、２本の水糸の交点Ａから正しく鉛直上に視点Ｍを設定できる。両交点Ａ、Ｂを通る視線Ｌが正しく鉛直線上に沿うものになり、２本の水糸の交点Ａと、その交点Ａの下方で水平方向に正しく位置合せされた水平位置Ｃを正確に定め、当該水平位置Ｃに目的物Ｔを位置決めして設置できる。
【００２９】
(b)錘下げ振りの吊り糸を２本の水糸の交点Ａに当てることがないので、その交点Ａが本来の位置からずれることがない。
【００３０】
(c)錘下げ振りを手に持たないため、２個の錘下げ振りのそれぞれの両端を２本の水糸に引っ掛けてしまえば手離れができる。両手とも目的物Ｔを動かすことに使え、目的物Ｔの位置決め作業に使える。正しく位置決めできたことの確認も一目でできる。従って、位置決め作業を迅速、高精度化できる。
【００３１】
(d)錘下げ振りが重力により各水糸に沿って該水糸の中央方向に多少滑動しても、２個の錘下げ振りの交点Ｂも、２本の水糸の交点Ａも水平位置は変わらない。従って、水平位置Ｃの位置合せ、目的物Ｔの位置決めに支障を生じない。
【００３２】
(e)錘下げ振りを水糸に引っ掛けるだけで、自動的に重力により錘下げ振りの交点Ｂが正しく水糸の交点Ａの鉛直下にくるので、位置決め作業を迅速、高精度化できる。
【００３３】
(f)錘下げ振りを上から視たとき、錘下げ振りの太さ（幅）を水糸の太さに合せることにより、水糸の影に錘下げ振りが隠れてしまうことがないし、不必要に太い錘下げ振りの影に目的物Ｔが隠れてしまうことがなく、位置決め作業を損なうおそれがない。
【００３４】
(g)錘下げ振りが長細状錘にて構成されることにより、２個の錘下げ振りの交点を安定的に形成できる。
【００３５】
(h)錘下げ振りが長細状錘の両端に水糸に引っ掛けられる紐を取付けてなるとき、２個の錘下げ振りの間でそれらの両端の紐の長さを、それらの長細状錘の交点Ｂにおいて長細状錘同士が接触しない程度に違わせておくことにより、それらの長細状錘が互いに接触して２本の水糸の交点Ａの鉛直直下ではない位置に静止してしまうことを回避できる。
【００３６】
（請求項６）
(i)錘下げ振りの紐が水糸に引っ掛けるためのフックを備えることにより、錘下げ振りの両端を直ちに水糸に引っ掛けできる。
【００３７】
（請求項７）
(j)錘下げ振りの長細状錘が針状体であるものとすることにより、錘下げ振りを上から視たときの長細状錘の太さ（幅）を上述(f)の如くに、水糸の太さに合せ易い。
【００３８】
（請求項８）
(k)錘下げ振りの長細状錘が板状体であるものとするとき、長細状錘の錘機能を確保しながら、錘下げ振りを上から視たときの長細状錘の太さ（幅）を上述(f)の如くに、水糸の太さに合せ易い。このとき、錘下げ振りを上から視たときの長細状錘の板の厚さを水糸の太さと同等にしておくことが好ましい。
【００３９】
（請求項３、９）
(l)錘下げ振りの長細状錘が、板状体の長手方向中央に凹部を有するものとするとき、長細状錘の錘機能を具備しながら、長細状錘を軽量化できる。
【００４０】
（請求項４、１０）
(m)錘下げ振りの長細状錘（針状体、板状体等）は２個の錘下げ振りの交点Ｂの近傍が針状又は板状等の長尺状であれば良く、それらの交点Ｂ以外の部位の形状は問わない。従って、長細状錘の両端に追加錘を備えることにより、長細状錘の錘機能を向上でき、例えば風による横振れを防止できる。
【図面の簡単な説明】
【００４１】
【図１】図１は錘下げ振りの一実施例を示す模式図である。
【図２】図２は錘下げ振りを用いた位置合せ方法を示す模式図である。
【図３】図３は目的物の位置決め過程を示す模式図である。
【図４】図４は錘下げ振りの長細状錘の太さと水糸の太さとの関係を示す模式図である。
【図５】図５は錘下げ振りの変形例を示す模式図である。
【図６】図６は錘下げ振りの変形例を示す模式図である。
【図７】図７は従来方法１を示す模式図である。
【図８】図８は従来方法２を示す模式図である。
【図９】図９は従来方法３を示す模式図である。
【発明を実施するための形態】
【００４２】
図１に示した錘下げ振り１０は、図２に示す如く、２本のそれぞれ直交するＸ方向とＹ方向の水平方向に張られた水糸１、２の交点Ａと、その交点Ａの下方で水平方向に位置合せされた水平位置Ｃを定め、当該水平位置Ｃに柱脚ピン等の目的物Ｔを位置決めして設置するために用いることができる。尚、２本の水糸１、２は、直交するＸ方向とＹ方向に張られるものに限らず、単に交差する方向に張られるものでも良い。
【００４３】
錘下げ振り１０は、長細状錘１１の両端に、水糸１又は水糸２に引っ掛けられる紐１２、１２が取付けられる。紐１２は水糸１又は水糸２に引っ掛けるためのフック１３を備える。本実施例では、長細状錘１１を針状体２１からなるものとしている。
【００４４】
錘下げ振り１０の両端のフック１３を水糸１又は水糸２に引っ掛けたとき、長細状錘１１たる針状体２１が重力により、水糸１又は水糸２に沿ってそれらの水糸１、２の正しく鉛直直下に静止するように、針状体２１、紐１２、フック１３の重量バランスが取られている。
【００４５】
従って、錘下げ振り１０を用いた位置合せ方法は以下の通りになされる（図２）。
(1)２個の錘下げ振り１０を用意する。
交点Ａを形成している２本の水糸１、２のうちの一方の水糸１に対し、該交点Ａの近傍で該交点Ａを挟む２位置に、１個の錘下げ振り１０における長細状錘１１（針状体２１）の両端のフック１３を引っ掛ける。
【００４６】
交点Ａを形成している２本の水糸１、２のうちの他方の水糸２に対し、該交点Ａの近傍で該交点Ａを挟む２位置に、もう１個の錘下げ振り１０における長細状錘１１（針状体２１）の両端のフック１３を引っ掛ける。
【００４７】
２個の錘下げ振り１０の長細状錘１１（針状体２１）から手を離し、長細状錘２１を重力で安定位置に静止させる。このとき、錘下げ振り１０が水糸１又は水糸２に沿って多少滑動してもかまわない。また、２個の錘下げ振り１０の高さは違っていてもかまわない。
【００４８】
(2)２本の水糸１、２の上から見下ろし、視点Ｍを、２本の水糸１、２の交点Ａと、２本の錘下げ振り１０、１０の長細状錘１１（針状体２１）の交点Ｂとが合致して見える位置に置く。Ｌは視線を示す。視点Ｍの位置をそこから動かさず、両交点Ａ、Ｂの合致線上に水平位置Ｃを定める。両交点Ａ、Ｂの正しく鉛直線上に水平位置Ｃを定めることになる。
【００４９】
(3)目的物Ｔを上述(2)の水平位置Ｃに位置決めする。
尚、目的物Ｔの上述(3)の位置決めは、例えば図３に示した通りとする。予め、ベースモルタル１０１に形成した穴１０２に無収縮グラウト１０３を充填し（図３（Ａ））、目的物Ｔたる柱脚ピン１０４の中心にボルト１０５を取付け、このボルト１０５を穴１０２の無収縮グラウト１０３内に挿入する（図３（Ｂ））。柱脚ピン１０４を穴１０２の無収縮グラウト１０３内で水平移動させ（図３（Ｃ））、柱脚ピン１０４の上面に設けてある十字状罫書き線１０６を上述(2)の水平位置Ｃに合せる（図３（Ｄ））。
【００５０】
ここで、図４は錘下げ振り１０の長細状錘１１（針状体２１）の太さ（幅）Ｄ2と、水糸１、２の太さＤ1との関係を示している。
【００５１】
図４（Ａ）は、上から視たとき、Ｄ2＜Ｄ1である。水糸１、２の影に長細状錘１１が隠れているため、視点Ｍが水糸１、２の中心と長細状錘１１の中心を結んだ線上からずれていても分からない。
【００５２】
図４（Ｂ）は、上から視たとき、Ｄ2＞Ｄ1である。不必要に太い長細状錘１１の影に、目的物Ｔが隠れてしまうため（隠れる範囲Ｋ）、目的物Ｔを位置決めしにくくなる。
【００５３】
図４（Ｃ）は、上から視たとき、Ｄ2＝Ｄ1である。図４（Ａ）、（Ｂ）の上述の不具合がなく、目的物Ｔを高精度に位置決めできる。
【００５４】
図５は錘下げ振り１０の変形例であり、長細状錘１１として、針状体２１に代わる板状体２２としたものである。このとき、板状体２２は長手方向中央に下向き凹部２２Ａを備える。
【００５５】
図６は錘下げ振り１０の更なる変形例であり、長細状錘１１（針状体２１）（板状体２２でも可）の両端に、追加錘２３を備えたものである。
【００５６】
従って、図１〜図６に示した錘下げ振り１０、及び錘下げ振り１０を用いた位置合せ方法によれば、以下の作用効果を奏する。
【００５７】
(a)２本の水糸１、２の交点Ａと、２個の錘下げ振り１０の交点Ｂとが、合致して見える位置に視点Ｍをもってくることにより、２本の水糸１、２の交点Ａから正しく鉛直上に視点Ｍを設定できる。両交点Ａ、Ｂを通る視線Ｌが正しく鉛直線上に沿うものになり、２本の水糸１、２の交点Ａと、その交点Ａの下方で水平方向に正しく位置合せされた水平位置Ｃを正確に定め、当該水平位置Ｃに目的物Ｔを位置決めして設置できる。
【００５８】
(b)錘下げ振り１０の吊り糸を２本の水糸１、２の交点Ａに当てることがないので、その交点Ａが本来の位置からずれることがない。
【００５９】
(c)錘下げ振り１０を手に持たないため、２個の錘下げ振り１０のそれぞれの両端を２本の水糸１、２に引っ掛けてしまえば手離れができる。両手とも目的物Ｔを動かすことに使え、目的物Ｔの位置決め作業に使える。正しく位置決めできたことの確認も一目でできる。従って、位置決め作業を迅速、高精度化できる。
【００６０】
(d)錘下げ振り１０が重力により各水糸１、２に沿って該水糸１、２の中央方向に多少滑動しても、２個の錘下げ振り１０の交点Ｂも、２本の水糸１、２の交点Ａも水平位置は変わらない。従って、水平位置Ｃの位置合せ、目的物Ｔの位置決めに支障を生じない。
【００６１】
(e)錘下げ振り１０を水糸１、２に引っ掛けるだけで、自動的に重力により錘下げ振り１０の交点Ｂが正しく水糸１、２の交点Ａの鉛直下にくるので、位置決め作業を迅速、高精度化できる。
【００６２】
(f)錘下げ振り１０を上から視たとき、錘下げ振り１０の太さ（幅）Ｄ2を水糸１、２の太さＤ1に合わせることにより、水糸１、２の影に錘下げ振り１０が隠れてしまうことがないし、不必要に太い錘下げ振り１０の影に目的物Ｔが隠れてしまうことがなく、位置決め作業を損なうおそれがない。
【００６３】
(g)錘下げ振り１０が長細状錘１１にて構成されることにより、２個の錘下げ振り１０の交点Ｂを安定的に形成できる。
【００６４】
(h)錘下げ振り１０が長細状錘１１の両端に水糸１、２に引っ掛けられる紐１２を取付けてなるとき、２個の錘下げ振り１０の間でそれらの両端の紐１２の長さを、それらの長細状錘１１の交点Ｂにおいて長細状錘１１同士が接触しない程度に違わせておくことにより、それらの長細状錘１１が互いに接触して２本の水糸１、２の交点Ａの鉛直直下ではない位置に静止してしまうことを回避できる。
【００６５】
(i)錘下げ振り１０の紐１２が水糸１、２に引っ掛けるためのフック１３を備えることにより、錘下げ振り１０の両端を直ちに水糸１、２に引っ掛けできる。
【００６６】
(j)錘下げ振り１０の長細状錘１１が針状体２１であるものとすることにより、錘下げ振り１０を上から視たときの長細状錘１１の太さ（幅）Ｄ2を上述(f)の如くに、水糸１、２の太さに合せ易い。
【００６７】
(k)錘下げ振り１０の長細状錘１１が板状体２２であるものとするとき、長細状錘１１の錘機能を確保しながら、錘下げ振り１０を上から視たときの長細状錘１１の太さ（幅）Ｄ2を上述(f)の如くに、水糸１、２の太さに合せ易い。このとき、錘下げ振り１０を上から視たときの長細状錘１１の板の厚さを水糸１、２の太さと同等にしておくことが好ましい。
【００６８】
(l)錘下げ振り１０の長細状錘１１が、上述(k)の板状体２２の長手方向中央に凹部２２Ａを有するものとするとき、長細状錘１１の錘機能を具備しながら、長細状錘１１を軽量化できる。
【００６９】
(m)錘下げ振り１０の長細状錘１１（針状体２１、板状体２２等）は２個の錘下げ振り１０の交点Ｂの近傍が針状又は板状等の長細状であれば良く、それらの交点Ｂ以外の部位の形状は問わない。従って、長細状錘１１の両端に追加錘２３を備えることにより、長細状錘１１の錘機能を向上でき、例えば風による横振れを防止できる。
【００７０】
以上、本発明の実施例を図面により詳述したが、本発明の具体的な構成はこの実施例に限られるものではなく、本発明の要旨を逸脱しない範囲の設計の変更等があっても本発明に含まれる。
【産業上の利用可能性】
【００７１】
本発明は、２本の水平方向に張られた水糸の交点と水平方向に位置合せされた水平位置を定める錘下げ振りにおいて、長細状錘の両端に水糸に引っ掛けられる紐が取付けられる。また、本発明は、２本の水平方向に張られた水糸の交点と水平方向に位置合せされた水平位置を定める位置合せ方法において、２本の水糸の交点の近傍にて、２本の水糸のそれぞれに２個の錘下げ振りのそれぞれの両端を引っ掛け、２本の水糸の交点と２個の錘下げ振りの交点との合致線上に水平位置を定める。これにより、簡易な構成により、２本の水平方向に張られた水糸の交点と、その交点の下方で水平方向に位置合せされた水平位置を正確に定めることができる。
【符号の説明】
【００７２】
１、２  水糸
１０  錘下げ振り
１１  長細状錘
１２  紐
１３  フック
２１  針状体
２２  板状体
２２Ａ  凹部
２３  追加錘
【図１】
0005869855.tif 000002
【図２】
0005869855.tif 000003
【図３】
0005869855.tif 000004
【図４】
0005869855.tif 000005
【図５】
0005869855.tif 000006
【図６】
0005869855.tif 000007
【図７】
0005869855.tif 000008
【図８】
0005869855.tif 000009
【図９】
0005869855.tif 000010